(57)【要約】【課題】水中落下等の検出時に実行される機能を改善すること。【解決手段】１つの態様において、電子機器は、第１の測定部と、第２の測定部と、制御部とを備える。第１の測定部は、自機が水中にあるかを判定するための情報を測定する。第２の測定部は、自機が当該自機の利用者に保持されているかを判定するための情報を測定する。制御部は、第１の測定部により測定された情報に基づいて自機が水中にあるかを判定した後、第２の測定部により測定された情報に基づいて自機が当該自機の利用者に保持されているかを判定する。【選択図】図１
2017022532.tif 000002
【特許請求の範囲】
【請求項１】
自機が水中にあるかを判定するための情報を測定する第１の測定部と、
自機が当該自機の利用者に保持されているかを判定するための情報を測定する第２の測定部と、
前記第１の測定部により測定された情報に基づいて自機が水中にあるかを判定した後、前記第２の測定部により測定された情報に基づいて自機が当該自機の利用者に保持されているかを判定する制御部と
を備える電子機器。
【請求項２】
表示部をさらに備え、
前記第２の測定部は、自機が当該自機の利用者に保持されているかを判定するための情報として、自機に作用する加速度を測定し、
前記制御部は、
前記第１の測定部により測定された情報に基づいて自機が水中にあると判定した後、前記第２の測定部により測定された情報に基づいて自機が当該自機の利用者に保持されていないと判定した場合、前記表示部を点灯させる請求項１に記載の電子機器。
【請求項３】
前記制御部は、前記加速度の値が所定の値以下である状態が所定の時間継続した場合、自機が当該自機の利用者に保持されていないと判定する請求項２に記載の電子機器。
【請求項４】
自機が水に流される際に当該自機に作用する加速度のパターンを予め記憶する記憶部をさらに備え、
前記制御部は、前記第２の測定部により測定される加速度のパターンと、前記記憶部に予め記憶される加速度のパターンとが所定の確度で一致する場合、自機が当該自機の利用者に保持されていないと判定する請求項２に記載の電子機器。
【請求項５】
水中において利用者により自機が保持されている場合に当該自機に作用する加速度のパターンを予め記憶する記憶部をさらに備え、
前記制御部は、前記第２の測定部により測定される加速度のパターンと、前記記憶部に予め記憶される加速度のパターンとが所定の確度で一致しない場合、自機が当該自機の利用者に保持されていないと判定する請求項２に記載の電子機器。
【請求項６】
前記制御部は、前記表示部の点灯時間、及び前記表示部を消灯させてから点灯させるまでの時間をそれぞれ制御する請求項２から４のいずれか１つに記載の電子機器。
【請求項７】
前記制御部は、前記表示部を点灯させる際のＲＧＢバランスを調整する請求項２から５のいずれか１つに記載の電子機器。
【請求項８】
前記第１の測定部は、タッチスクリーン及び気圧センサの少なくとも一方を含む請求項１から６のいずれか１つに記載の電子機器。
【請求項９】
発光部をさらに備え、
前記第２の測定部は、自機が当該自機の利用者に保持されているかを判定するための情報として、自機に作用する加速度を測定し、
前記制御部は、
前記第１の測定部により測定された情報に基づいて自機が水中にあると判定した後、前記第２の測定部により測定された情報に基づいて自機が当該自機の利用者に保持されていないと判定した場合、前記発光部を点灯させる請求項１に記載の電子機器。
【請求項１０】
前記制御部は、前記第１の測定部により測定された情報に基づいて自機が水中にあると判定した後、前記第２の測定部により測定された情報に基づいて自機が当該自機の利用者に保持されていないと判定した場合、自機に備えられた機能の一部を制限する請求項１に記載の電子機器。
【請求項１１】
記憶部をさらに備え、
前記制御部は、前記第１の測定部により測定された情報に基づいて自機が水中にあると判定した後、前記第２の測定部により測定された情報に基づいて自機が当該自機の利用者に保持されていないと判定した場合、前記記憶部を初期化する請求項１に記載の電子機器。
【請求項１２】
電子機器により実行される制御方法であって、
自機が水中にあるかを判定するための情報を測定するステップと、
自機が当該自機の利用者に保持されているかを判定するための情報を測定するステップと、
自機が水中にあるかを判定するための情報に基づいて自機が水中にあるかを判定した後、自機が当該自機の利用者に保持されているかを判定するための情報に基づいて自機が当該自機の利用者に保持されているかを判定するステップと
を含む制御方法。
【請求項１３】
電子機器に、
自機が水中にあるかを判定するための情報を測定するステップと、
自機が当該自機の利用者に保持されているかを判定するための情報を測定するステップと、
自機が水中にあるかを判定するための情報に基づいて自機が水中にあるかを判定した後、自機が当該自機の利用者に保持されているかを判定するための情報に基づいて自機が当該自機の利用者に保持されているかを判定するステップと
を実行させる制御プログラム。
【発明の詳細な説明】
【技術分野】
【０００１】
本出願は、電子機器、制御方法及び制御プログラムに関する。
【背景技術】
【０００２】
従来、水中に転落すると自動点灯して転落者の発見に寄与する救命灯がある（例えば、特許文献１参照）。
【先行技術文献】
【特許文献】
【０００３】
【特許文献１】特開２０００−３４４１８５号公報
【発明の概要】
【発明が解決しようとする課題】
【０００４】
従来の電子機器は、水中落下等の検出時に実行される機能に改善の余地がある。
【課題を解決するための手段】
【０００５】
１つの態様に係る電子機器は、第１の測定部と、第２の測定部と、制御部とを備える。第１の測定部は、自機が水中にあるかを判定するための情報を測定する。第２の測定部は、自機が当該自機の利用者に保持されているかを判定するための情報を測定する。制御部は、第１の測定部により測定された情報に基づいて自機が水中にあるかを判定した後、第２の測定部により測定された情報に基づいて自機が当該自機の利用者に保持されているかを判定する。
【０００６】
１つの態様に係る制御方法は、電子機器により実行される制御方法であって、自機が水中にあるかを判定するための情報を測定するステップと、自機が当該自機の利用者に保持されているかを判定するための情報を測定するステップと、自機が水中にあるかを判定するための情報に基づいて自機が水中にあるかを判定した後、自機が当該自機の利用者に保持されているかを判定するための情報に基づいて自機が当該自機の利用者に保持されているかを判定するステップとを含む。
【０００７】
１つの態様に係る制御プログラムは、電子機器に、自機が水中にあるかを判定するための情報を測定するステップと、自機が当該自機の利用者に保持されているかを判定するための情報を測定するステップと、自機が水中にあるかを判定するための情報に基づいて自機が水中にあるかを判定した後、自機が当該自機の利用者に保持されているかを判定するための情報に基づいて自機が当該自機の利用者に保持されているかを判定するステップとを実行させる。
【図面の簡単な説明】
【０００８】
【図１】図１は、実施形態に係るスマートフォンの機能構成を示すブロック図である。
【図２】図２は、実施形態に係るスマートフォンの処理の流れを示すフローチャートである。
【図３】図３は、実施形態に係るスマートフォンの処理の流れを示すフローチャートである。
【図４】図４は、実施形態に係るスマートフォンの処理の流れを示すフローチャートである。
【発明を実施するための形態】
【０００９】
本出願に係る電子機器、制御方法及び制御プログラムを実施するための複数の実施形態を、図面を参照しつつ詳細に説明する。以下では、本出願に係る電子機器の一例として、スマートフォンを取り上げて説明する。
【００１０】
図１を参照しつつ、実施形態に係るスマートフォン１の機能構成の一例を説明する。図１は、実施形態に係るスマートフォンの機能構成を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、気圧センサ１７とを備える。なお、以下の説明において、スマートフォン１を「自機」と表記する場合がある。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。タッチスクリーンディスプレイ２は、ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示することができる。ディスプレイ２Ａが表示する文字、画像、記号、及び図形等を含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ある実施形態において、ディスプレイ２Ａが液晶ディスプレイを備える場合、液晶ディスプレイは液晶パネルに光を照射するバックライト等の光源を有する。ある実施形態において、ディスプレイ２Ａが有機ＥＬディスプレイ又は無機ＥＬディスプレイを備える場合、有機ＥＬディスプレイ又は無機ＥＬディスプレイは、三原色であるＲ，Ｇ，Ｂのそれぞれに対応した発光素子を備える。ディスプレイ２Ａは、表示部の一例である。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂ（タッチスクリーンディスプレイ２）に接触したときのタッチスクリーン２Ｂ上の位置（以下、接触位置と表記する）を検出することができる。タッチスクリーン２Ｂは、タッチスクリーン２Ｂに対する指の接触を、接触位置とともにコントローラ１０に通知する。ある実施形態において、タッチスクリーン２Ｂは、自機が水中にあるかを判定するための情報を測定する。タッチスクリーン２Ｂは、静電容量方式を採用する場合、自機が水中にあるかを判定するための情報として、例えば、静電容量の変化を測定することができる。抵抗膜方式又は荷重検出方式を採用する場合、タッチスクリーン２Ｂは、自機が水中にあるかを判定するための情報として、例えば、電圧の大きさの変化を検出してもよい。表面弾性波方式を採用する場合、タッチスクリーン２Ｂは、自機が水中にあるかを判定するための情報として、例えば、自機が発信する表面弾性波の減衰を検出してもよい。赤外線方式を採用する場合、タッチスクリーン２Ｂは、自機が水中にあるかを判定するための情報として、例えば、自機が発信する赤外線光の減衰を検出してもよい。ある実施形態において、タッチスクリーン２Ｂは、第１の測定部の一例である。
【００１５】
タッチスクリーン２Ｂは、静電容量方式のみに限らず、抵抗膜方式、荷重検出方式、表面弾性波方式、及び赤外線方式等の任意の方式を採用できる。
【００１６】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
ボタン３は、利用者からの操作入力を受け付ける。ボタン３の数は、単数であっても、複数であってもよい。ボタン３は、操作ボタンの一例である。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格は、例えば、２Ｇ、３Ｇ、４Ｇ等のセルラーフォンの通信規格と、近距離無線の通信規格とを含んでよい。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含んでよい。近距離無線の通信規格は、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を含んでよい。ＷＰＡＮの通信規格は、例えば、ＺｉｇＢｅｅ（登録商標）等を含んでよい。通信ユニット６は、上述した通信規格の例示のうち１つ又は複数をサポートしていてもよい。
【００２１】
レシーバ７は、音出力部である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部であり、利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００２４】
ストレージ９は、制御プログラム９Ａ、カメラアプリケーション９Ｂ、電話アプリケーション９Ｃ、及び設定データ９Ｚなどを記憶する。制御プログラム９Ａは、各種機能を提供するに際し、各種アプリケーションと連携してもよい。
【００２５】
ある実施形態において、制御プログラム９Ａは、タッチスクリーン２Ｂにより測定された情報に基づいて自機が水中にあるかを判定した後、加速度センサ１５により測定された情報に基づいて自機が当該自機の利用者に保持されているかを判定する機能を提供できる。
【００２６】
制御プログラム９Ａは、タッチスクリーン２Ｂにより測定される静電容量に基づいて、自機が水中にあるときの特異な変化を検出することにより、自機が水中にあるかを判定できる。具体的には、タッチスクリーン２Ｂにより測定される静電容量は、水中にある場合、タッチスクリーン２Ｂの各接触点において、ある一定の値の近傍で略均一となる分布を示すように変化する。このため、制御プログラム９Ａを実行するコントローラ１０は、かかる分布を検出することにより、自機が水中にあるかを判定できる。反対に、制御プログラム９Ａを実行するコントローラ１０は、かかる分布以外の分布を検出することにより、自機が水中にないことも判定できる。
【００２７】
制御プログラム９Ａは、気圧センサ１７により測定される気圧値の変化に基づいて、自機が水中にあるときの特異な変化を検出することにより、自機が水中にあるかを判定できる。具体的には、気圧センサ１７により測定される気圧値は、自機が水中に没すると、急激に上昇する変化を示す。このため、制御プログラム９Ａを実行するコントローラ１０は、かかる変化の有無を検出することにより、自機が水中にあるかどうかを判定できる。
【００２８】
制御プログラム９Ａは、自機が水中にあるかを判定するに際して、タッチスクリーン２Ｂに基づく判定結果、及び気圧センサ１７に基づく判定結果の双方を考慮してもよい。例えば、制御プログラム９Ａは、タッチスクリーン２Ｂに基づく判定結果、及び気圧センサ１７に基づく判定結果の少なくとも一方から、自機が水中にあるという判定結果を得た場合、自機が水中にあるという判定結果を確定するプロセスを実行してもよい。あるいは、制御プログラム９Ａは、タッチスクリーン２Ｂに基づく判定結果、及び気圧センサ１７に基づく判定結果の双方から、自機が水中にあるという判定結果を得た場合、自機が水中にあるという判定結果を確定するプロセスを実行してもよい。あるいは、制御プログラム９Ａは、タッチスクリーン２Ｂに基づく判定結果、及び気圧センサ１７に基づく判定結果が相違する場合、タッチスクリーン２Ｂに基づく判定結果の方を優先して、自機が水中にあるという判定結果を確定するプロセスを実行してもよい。
【００２９】
ある実施形態において、制御プログラム９Ａは、タッチスクリーン２Ｂにより測定された情報に基づいて自機が水中にあると判定した後、加速度センサ１５により測定された情報に基づいて自機が当該自機の利用者に保持されていないと判定した場合、ディスプレイ２Ａを点灯させる機能を提供できる。
【００３０】
ある実施形態において、制御プログラム９Ａは、加速度の値が所定の値以下である状態が所定の時間継続した場合、自機が当該自機の利用者に保持されていないと判定する機能を提供できる。
【００３１】
ある実施形態において、ストレージ９は、自機が水に流される際に当該自機に作用する加速度のパターンを予め記憶する。制御プログラム９Ａは、加速度センサ１５により測定される加速度のパターンと、ストレージ９に予め記憶される加速度のパターンとが所定の確度で一致する場合、自機が当該自機の利用者に保持されていないと判定する機能を提供できる。
【００３２】
ある実施形態において、ストレージ９は、水中において利用者により自機が保持されている場合に当該自機に作用する加速度のパターンを予め記憶する。制御プログラム９Ａは、加速度センサ１５により測定される加速度のパターンと、ストレージ９に予め記憶される加速度のパターンとが所定の確度で一致しない場合、自機が当該自機の利用者に保持されていないと判定する機能を提供できる。
【００３３】
ある実施形態において、制御プログラム９Ａは、ディスプレイ２Ａの点灯時間、及びディスプレイ２Ａを消灯させてから点灯させるまでの時間をそれぞれ制御する機能を提供できる。ディスプレイ２Ａが液晶ディスプレイを含んで構成される場合、制御プログラム９Ａは、予め設定された一定時間、バックライト等を点灯させることができる。バックライト等を消灯させた後、予め設定された一定時間が経過すると、制御プログラム９Ａは、バックライト等を再点灯させることができる。制御プログラム９Ａは、バックライト等を再点灯させるまでに必要な経過時間が、前回バックライト等を再点灯させたときの経過時間と異なるように制御することもできる。例えば、制御プログラム９Ａは、自機が水中にあると判定された状態、かつ利用者に保持されていないと判定された状態が継続するほど、バックライトを再点灯させるまでに必要な経過時間が次第に短くなるように制御することができる。
【００３４】
ディスプレイ２Ａが有機ＥＬディスプレイ又は無機ＥＬディスプレイを備える場合も、制御プログラム９Ａは、ディスプレイ２Ａが液晶ディスプレイを含んで構成される場合と同様の機能を提供できる。例えば、制御プログラム９Ａは、予め設定された一定時間、発光素子を点灯させることができる。発光素子を消灯させた後、予め設定された一定時間が経過すると、制御プログラム９Ａは、発光素子を再点灯させることができる。制御プログラム９Ａは、発光素子を再点灯させるまでに必要な経過時間が、前回発光素子を再点灯させたときの経過時間と異なるように制御することもできる。
【００３５】
ある実施形態において、制御プログラム９Ａは、ディスプレイ２Ａを点灯させる際の光のＲＧＢバランスを調整する機能を提供できる。すなわち、制御プログラム９Ａは、ディスプレイ２Ａを水中で点灯させた場合に、利用者から視認しやすい色となるように調整する機能を提供できる。水中において視認しやすい色とは、例えば、橙色、白色、黄色，緑色等である。制御プログラム９Ａは、例えば、ディスプレイ２Ａが液晶ディスプレイを含んで構成される場合、液晶ディスプレイの液晶の配向を制御して、液晶ディスプレイのＲＧＢ成分のうち、Ｇ成分の光度を落とさないように、Ｒ成分、Ｂ成分の光度を落とす方向に色調整をして、ディスプレイ２Ａの表示が全体的に緑色になるように調整する機能を提供できる。制御プログラム９Ａは、例えば、ディスプレイ２Ａが有機ＥＬなどの発光素子を含んで構成される場合、Ｇ成分に対応する発光素子の光度を高めるように調整し、ディスプレイ２Ａの表示が全体的に緑色になるよう調整する機能を提供できる。ディスプレイ２Ａの表示が全体的に緑色になるよう調整することで、ディスプレイ２Ａは、水中、特に、海中のように、Ｒ成分の光が減衰されやすく、また、Ｂ成分の光を識別しにくい環境下でも、より識別しやすくなる。制御プログラム９Ａは、ディスプレイ２Ａを点灯させる場合に、常時点灯、点滅、色の変化などの種々の態様で点灯させる機能を提供することもできる。
【００３６】
ある実施形態において、制御プログラム９Ａは、タッチスクリーン２Ｂにより測定された情報に基づいて自機が水中にあると判定した後、加速度センサ１５により測定された情報に基づいて自機が当該自機の利用者に保持されていないと判定した場合、自機に搭載された機能の一部を制限する機能を提供してもよい。制限する機能は、自機に搭載された機能のうち、個人情報にアクセス可能な機能を含む。個人情報にアクセス可能な機能には、アドレス帳およびメモ帳の閲覧機能、及びＳＮＳ（Ｓｏｃｉａｌ  Ｎｅｔｗｏｒｋ  Ｓｅｒｖｉｃｅ）の閲覧機能が含まれる。
【００３７】
ある実施形態において、制御プログラム９Ａは、タッチスクリーン２Ｂにより測定された情報に基づいて自機が水中にあると判定した後、加速度センサ１５により測定された情報に基づいて自機が当該自機の利用者に保持されていないと判定した場合、ストレージ９を初期化する機能を提供してもよい。
【００３８】
カメラアプリケーション９Ｂは、画像の静止画撮影、動画撮影、編集および管理等を行うための機能を提供する。電話アプリケーション９Ｃは、無線通信による通話のための通話機能を提供する。
【００３９】
設定データ９Ｚは、制御プログラム９Ａなどにより提供される機能に基づいて実行される処理などに用いられる各種データを含む。設定データ９Ｚは、自機が水中にあるかを判定するためのデータを含む。自機が水中にあるかを判定するためのデータは、水中における静電容量の変化量の分布に関する参照データ、及び水中における気圧の変化に関する参照データを含む。設定データ９Ｚは、自機が水に流される際に当該自機に作用する加速度のパターンに関するデータを含む。設定データ９Ｚは、水中において利用者により自機が保持されている場合に当該自機に作用する加速度のパターンに関するデータを含む。設定データ９Ｚは、ディスプレイ２Ａの点灯時間、及びディスプレイ２Ａを消灯させてから点灯させるまでの時間を制御するための制御データを含む。
【００４０】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００４１】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び気圧センサ１７を含むが、これらに限定されない。
【００４２】
コントローラ１０は、制御プログラム９Ａを実行することにより、タッチスクリーン２Ｂにより測定された情報に基づいて自機が水中にあるかを判定した後、加速度センサ１５により測定された情報に基づいて自機が当該自機の利用者に保持されているかを判定する処理などを実現する。
【００４３】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００４４】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００４５】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４６】
加速度センサ１５は、スマートフォン１に作用する加速度の方向及び大きさを検出する。加速度センサ１５は、第２の測定部の一例である。
【００４７】
方位センサ１６は、例えば、地磁気の向きを検出し、地磁気の向きに基づいて、スマートフォン１の向き（方位）を検出する。
【００４８】
気圧センサ１７は、スマートフォン１に作用する気圧の値を測定する。気圧センサ１７は、第１の測定部の一例である。
【００４９】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。スマートフォン１は、バッテリなど、スマートフォン１の機能を維持するために当然に用いられる機能部、及びスマートフォン１の制御を実現するために当然に用いられる制御部を実装する。
【００５０】
図２から図４を参照しつつ、実施形態に係るスマートフォン１により実行される処理の流れを説明する。図２から図４は、実施形態に係るスマートフォンの処理の流れを示すフローチャートである。図２から図４に示す処理は、コントローラ１０が、ストレージ９に記憶されている制御プログラム９Ａを実行することにより実現される。
【００５１】
図２は、スマートフォン１が、自機が水中にあると判定した後、自機が当該自機の利用者に保持されていないと判定した場合、発光部を発光させる処理の例を示す。
【００５２】
図２に示すように、コントローラ１０は、タッチスクリーン２Ｂの測定結果、及び気圧センサ１７による測定結果の少なくとも一方に基づいて、自機が水中にあるかを判定する（ステップＳ１０１）。
【００５３】
コントローラ１０は、判定の結果、自機が水中にある場合（ステップＳ１０１，Ｙｅｓ）、加速度センサ１５の測定結果に基づいて、自機が当該自機の利用者に保持されているかを判定する（ステップＳ１０２）。
【００５４】
コントローラ１０は、判定の結果、自機が当該自機の利用者に保持されていない場合（ステップＳ１０２，Ｎｏ）、ディスプレイ２Ａを点灯させて（ステップＳ１０３）、図２に示す処理を終了する。
【００５５】
上記ステップＳ１０２において、コントローラ１０は、判定の結果、自機が当該自機の利用者に保持されている場合（ステップＳ１０２，Ｙｅｓ）、図２に示す処理を終了する。
【００５６】
上記ステップＳ１０１において、コントローラ１０は、判定の結果、自機が水中にない場合（ステップＳ１０１，Ｎｏ）、図２に示す処理を終了する。
【００５７】
図３は、スマートフォン１が、自機が水中にあると判定した後、自機が当該自機の利用者に保持されていないと判定した場合、自機に搭載される機能の一部を制限する処理の例を示す。
【００５８】
図３に示すように、コントローラ１０は、タッチスクリーン２Ｂの測定結果、及び気圧センサ１７による測定結果の少なくとも一方に基づいて、自機が水中にあるかを判定する（ステップＳ２０１）。
【００５９】
コントローラ１０は、判定の結果、自機が水中にある場合（ステップＳ２０１，Ｙｅｓ）、加速度センサ１５の測定結果に基づいて、自機が当該自機の利用者に保持されているかを判定する（ステップＳ２０２）。
【００６０】
コントローラ１０は、判定の結果、自機が当該自機の利用者に保持されていない場合（ステップＳ２０２，Ｎｏ）、自機が搭載する機能の一部を制限して（ステップＳ２０３）、図３に示す処理を終了する。
【００６１】
上記ステップＳ２０２において、コントローラ１０は、判定の結果、自機が当該自機の利用者に保持されている場合（ステップＳ２０２，Ｙｅｓ）、図３に示す処理を終了する。
【００６２】
上記ステップＳ２０１において、コントローラ１０は、判定の結果、自機が水中にない場合（ステップＳ２０１，Ｎｏ）、図３に示す処理を終了する。
【００６３】
図４は、スマートフォン１が、自機が水中にあると判定した後、自機が当該自機の利用者に保持されていないと判定した場合、ストレージ９を初期化する処理の例を示す。
【００６４】
図４に示すように、コントローラ１０は、タッチスクリーン２Ｂの測定結果、及び気圧センサ１７による測定結果の少なくとも一方に基づいて、自機が水中にあるかを判定する（ステップＳ３０１）。
【００６５】
コントローラ１０は、判定の結果、自機が水中にある場合（ステップＳ３０１，Ｙｅｓ）、加速度センサ１５の測定結果に基づいて、自機が当該自機の利用者に保持されているかを判定する（ステップＳ３０２）。
【００６６】
コントローラ１０は、判定の結果、自機が当該自機の利用者に保持されていない場合（ステップＳ３０２，Ｎｏ）、ストレージ９を初期化して（ステップＳ３０３）、図４に示す処理を終了する。
【００６７】
上記ステップＳ３０２において、コントローラ１０は、判定の結果、自機が当該自機の利用者に保持されている場合（ステップＳ３０２，Ｙｅｓ）、図４に示す処理を終了する。
【００６８】
上記ステップＳ３０１において、コントローラ１０は、判定の結果、自機が水中にない場合（ステップＳ３０１，Ｎｏ）、図４に示す処理を終了する。
【００６９】
上記実施形態において、スマートフォン１は、タッチスクリーン２Ｂにより測定された情報に基づいて自機が水中にあるかを判定した後、加速度センサ１５により測定された情報に基づいて自機が当該自機の利用者に保持されているかを判定する。このため、上記実施形態によれば、スマートフォン１が水中に落下した状況と、スマートフォン１が水中において利用者により操作されている状況とを判別できる。そして、スマートフォン１は、自機が当該自機の利用者に保持されていないと判定した場合、ディスプレイ２Ａを点灯させる。あるいは、スマートフォン１は、自機が当該自機の利用者に保持されていないと判定した場合、自機に搭載される機能の一部を制限する。あるいは、スマートフォン１は、自機が当該自機の利用者に保持されていないと判定した場合、ストレージ９を初期化する。このようにして、上記実施形態によれば、水中落下等の検出時にスマートフォン１において実行される機能を改善できる。
【００７０】
上記の実施形態では、スマートフォン１が、水中にあると判定し、かつ利用者に保持されていないと判定した場合、ディスプレイ２Ａを点灯させる例を説明したが、これには限定されない。例えば、スマートフォン１は、水中にあると判定し、かつ利用者に保持されていないと判定した場合、カメラ１２及びカメラ１３が搭載するフラッシュライトを点灯させてもよい。あるいは、スマートフォン１は、他のデバイスとは独立した発光デバイスを備え、水中にあると判定し、かつ利用者に保持されていないと判定した場合、当該発光デバイスを発光させてもよい。
【００７１】
上記の実施形態で説明した処理は、スマートフォン１以外にも、水中で操作することが想定される他の電子機器についても同様に適用できる。
【００７２】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７３】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
１７  気圧センサ
【図１】
2017022532.tif 000003
【図２】
2017022532.tif 000004
【図３】
2017022532.tif 000005
【図４】
2017022532.tif 000006